(57)【要約】【課題】緊急表示灯を配置することなく、火災発生時に安全な避難路を確保することができるインターホン親機を提供する。【解決手段】火災を検知した火災警報器２１，２２，２３は、火災警報器インタフェース４を介して、制御装置３へ火災信号を送信する。制御装置３の中央処理装置１３は、火災信号を受信すると、時計１４から現在時刻を取得する。次いで中央処理装置１３は、現在時刻が照明制御設定テーブル１６の何れの時間帯であるかを判定する。そして、中央処理装置１３は、照明器具３１〜３７のうち、判定した時間帯毎に照明制御設定テーブル１６に設定された照明器具へ照明制御インタフェース５を介して点灯信号を送信する。【選択図】図１
2010079563.tif 000002
【特許請求の範囲】
【請求項１】
火災警報器から火災信号を受信する火災信号受信手段と、
照明器具へ点灯信号を送信する点灯信号送信手段と、
現在の時刻を計時する時計手段と、
火災発生時刻に応じて点灯すべき照明器具の設定を保持する照明制御設定手段と、
前記火災信号受信手段が火災信号を受信した場合、前記時計手段から読み出した現在の時刻に基づいて前記照明制御設定手段に設定された照明器具に対して前記点灯信号送信手段に点灯信号を送信させる制御手段と、
を備えたことを特徴とするインターホン。
【発明の詳細な説明】
【技術分野】
【０００１】
本発明は、火災警報器に接続して火災発生時に警報を発生するインターホンに関し、特に照明が必要な環境において、安全に避難誘導が行えるインターホンに関する。
【背景技術】
【０００２】
火災発生時に円滑に避難誘導するために、火災感知器と緊急表示灯と警音器とを廊下灯に備え、各廊下灯とナースコール親機とを接続したインターホンシステムがある（例えば特許文献１）。このシステムによれば、ある廊下灯の火災感知器が発報した場合、該廊下灯の緊急表示灯を点滅させるとともに警音器に警音発生させている。さらに、ナースコール親機の一覧表示部に火災発生元の表示を行わせ、他の廊下灯の緊急表示灯を点滅させることにより全員に火災発生を報知している。
【特許文献１】特許第２５８９１０２号
【発明の開示】
【発明が解決しようとする課題】
【０００３】
しかしながら上記従来の病院用インターホンシステムを家庭用に適用しようとしても、家庭内に高価な緊急表示灯を配置することは、コストの点で現実的ではないという問題点があった。
【０００４】
本発明はこのような従来の課題を解決するものであり、緊急表示灯を配置することなく、火災発生時に安全な避難路を確保することができるインターホンを提供することを目的とする。
【課題を解決するための手段】
【０００５】
本発明は上記目的を達成するために、火災警報器から火災信号を受信する火災信号受信手段と、照明器具へ点灯信号を送信する点灯信号送信手段と、現在の時刻を計時する時計手段と、火災発生時刻に応じて点灯すべき照明器具の設定を保持する照明制御設定手段とをインターホンに備える。そして火災警報器から火災信号を受信した場合、現在の時刻に基づいて照明制御設定手段に設定された照明器具に対して点灯信号を送信することにより、火災発生時刻に応じた照明器具を点灯させる。
【発明の効果】
【０００６】
本発明は、火災警報器が火災信号を発した時刻に応じて、予め照明制御設定手段に設定された照明器具を点灯させることができるので、緊急表示灯を設けることなく、火災発生が夜間であっても安全な避難路を確保することができるという効果がある。
【発明を実施するための最良の形態】
【０００７】
次に図面を参照して、本発明の実施の形態を詳細に説明する。図１は、本発明に係るインターホンを適用したインターホン親機の構成を説明するブロック図である。図１において、インターホン親機１は、操作パネル２と、制御装置３と、火災警報器インタフェース４と、照明制御インタフェース５と、警報音発生器６とを備えている。
【０００８】
操作パネル２は、例えば液晶表示装置を用いた表示部１１と、後述する警報停止釦を含むインターホン操作のための操作釦１２とを備えている。制御装置３は、例えば１チップマイクロコンピュータを用いて、インターホンシステム全体を制御する制御装置である。
【０００９】
制御装置３は、中央処理装置１３と、現在の時刻を計時する時計１４と、ＥＥＰＲＯＭ（Electrically Erasable Read only Memory）またはＦｅＲＡＭ（Ferroelectric Random Access Memory）等の電気的に書き換え可能な不揮発性記憶素子を用いた不揮発性メモリ１５とを備えている。
【００１０】
不揮発性メモリ１５には、火災発生時刻に応じて点灯すべき照明器具の設定を保持する照明制御設定手段としての照明制御設定テーブル１６が記憶される。
【００１１】
火災警報器インタフェース４は、制御装置３と、火災警報器２１，２２，２３とを接続するインタフェースである。火災警報器２１，２２，２３が発生する火災信号は、火災警報器インタフェース４を介して制御装置３により受信される。本実施の形態では、火災警報器は３台としているが、３台に限定されることはない。
【００１２】
照明制御インタフェース５は、制御装置３と、照明器具３１，３２，３３，３４，３５，３６，３７とを接続するインタフェースである。本実施の形態では、照明器具は７台としているが、７台に限定されることはない。各照明器具３１〜３７は、制御装置３から照明制御インターフェース５を介して、点灯及び消灯が制御できるようになっている照明器具であり、天井灯などの各室の主照明器具であるのが好ましい。尚、本実施の形態では、制御装置３は、点灯及び消灯を制御することとしているが、点灯だけの制御でもよい。
【００１３】
制御装置３は、火災警報器２１，２２，２３のいずれかから火災信号を受信すると、時計部１４から読み出した現在の時刻に基づいて、照明制御設定テーブル１６に設定された照明器具に対して、照明制御インタフェース５に点灯信号を送信させる制御を行う制御装置である。
【００１４】
尚、インターホン親機１には、ドアホン子器やインターホン子器と通話するための構成を備えているが、これらは周知の構成であり、本発明とは直接関係がないので、図示及び説明を省略する。
【００１５】
次に、図１に加えて、図２の制御フローチャート及び図３の照明器具の配置例を説明する住戸の模式図を参照して、本実施の形態におけるインターホン親機１の火災警報に関する動作を説明する。図２の制御フローチャートは、制御装置３の中央処理装置１３により実行されるものである。
【００１６】
照明器具の配置は、図３に示すように、２階にＡ室、Ｂ室、Ｃ室があり、１階にＤ室、玄関であるＥ室、階段室であるＦ室、インターホン親機１が設置されているＧ室がある。
【００１７】
ここで寝室を２階のＣ室とする。就寝後に火災が発生した場合、寝室であるＣ室から玄関までの避難経路の照明器具を点灯させるものとする。このため、火災発生時刻が２２時〜６時であれば、Ｂ室の照明器具３２、Ｃ室の照明器具３３、Ｅ室の照明器具３５、及びＦ室の照明器具３６を点灯させることにより、避難経路の照明が確保される。また、火災発生時刻が就寝前の１７時〜２２時までの間は、火災発生時に住戸人が何れの部屋にいるか判らないので、Ａ〜Ｇの全室の照明器具３１〜３７を点灯させることとする。
【００１８】
このように設定した照明制御設定テーブル１６の内容例を図２右上の表に示す。この照明制御設定テーブルによれば、火災信号が発生したときの時間帯が６時〜１７時の間は、点灯させる照明器具は設定されていない。火災信号が発生したときの時間帯が１７時〜２２時の間は、点灯させる照明器具はＡ室〜Ｇ室の全ての照明器具３１〜３７である。火災信号が発生したときの時間帯が２２時〜６時の間は、点灯させる照明器具は、Ｂ室、Ｃ室、Ｅ室及びＦ室の照明器具３２，３３，３５，３６である。また、Ｃ室及びＤ室が寝室の場合、火災信号が発生したときの時間帯が２２時〜６時の間は、点灯させる照明器具は、Ｂ室、Ｃ室、Ｄ室、Ｅ室及びＦ室の照明器具３２、３３、３４、３５及び３６とするように変更する。
【００１９】
まず最初にステップ（以下、ステップをＳと略す）１０において、中央処理装置１３は、火災信号の受信待ちとなる。Ｓ１０において、いずれかの火災警報器２１，２２，２３が火災発生を検知して、警報音を発生させると共に、火災警報器インタフェース４を介して中央処理装置１３へ火災信号を送信したとする。この火災信号を中央処理装置１３が受信すると、Ｓ１２へ進む。Ｓ１２では、中央処理装置１３が時計１４から現在時刻を取得する。次いでＳ１４で、中央処理装置１３は、現在時刻が１７時から２２時までの間か否かを判定する。現在時刻が１７時から２２時までの間であれば、Ｓ１６へ進む。そうでなければＳ１８へ進む。
【００２０】
Ｓ１６では、中央処理装置１３は、Ａ〜Ｇ全室の照明器具３１〜３７へ点灯信号を送信して、Ｓ２２へ進む。Ｓ１８では、中央処理装置１３は、現在時刻が２２時から６時までの間か否かを判定する。現在時刻が２２時から６時までの間であれば、Ｓ２０へ進む。そうでなければ、現在時刻の時間帯は、６時から１７時までの間であるので、中央処理装置１３は、照明器具を点灯させることなく、Ｓ２２へ進む。
【００２１】
Ｓ２０では、中央処理装置１３は、Ｂ室、Ｃ室、Ｅ室、Ｆ室の照明器具３２，３３，３５，３６へ点灯信号を送信して、Ｓ２２へ進む。
【００２２】
Ｓ２２では、中央処理装置１３は、警報音発生器６に警報音を鳴動させる。次いでＳ２４で、中央処理装置１３は、操作パネル２に設けられた操作釦１２の一つである警報停止釦から入力があるか否かを判定する。警報停止釦から入力がなければ、中央処理装置１３は、Ｓ２２へ戻って警報音の鳴動を続ける。
【００２３】
Ｓ２４の判定で警報停止釦から入力があれば、Ｓ２６へ進み、中央処理装置１３は、警報音発生器６からの警報音発生を停止させると共に、火災警報器２１，２２，２３へ警報音停止信号を送信する。次いでＳ２８で中央処理装置１３は、点灯信号を送信した照明器具へ消灯信号を送信して、Ｓ１０の火災信号待機状態へ戻る。
【００２４】
以上の制御フローチャートにより、インターホン親機１が火災信号を受信した現在時刻の時間帯に応じて、照明器具を点灯させることができ、夜間の火災であっても安全な避難経路を確保することができるという効果がある。
【００２５】
また夜間に火災が発生した場合、照明器具を点灯させるので、住戸人を早期に覚醒させ避難行動を早めることができるという効果がある。
【００２６】
さらに火災発生の時間帯が昼間の場合には、照明器具を点灯させない等の制御を行うことができ、時間帯に応じた適切な制御をおこなうことができるという効果がある。
【図面の簡単な説明】
【００２７】
【図１】本発明に係るインターホンの実施形態の構成を説明するブロック図である。
【図２】実施形態の動作を説明するフローチャート図である。
【図３】照明器具及び火災警報器の配置例を説明する住戸の模式図である。
【符号の説明】
【００２８】
１  インターホン親機
２  操作パネル
３  制御装置
４  火災警報器インタフェース
５  照明制御インタフェース
６  警報音発生器
１１  表示部
１２  操作釦
１３  中央処理装置
１４  時計
１５  不揮発性メモリ
１６  照明制御設定テーブル
２１〜２３  火災警報器
３１〜３７  照明器具
【図１】
2010079563.tif 000003
【図２】
2010079563.tif 000004
【図３】
2010079563.tif 000005